(57)【特許請求の範囲】
【請求項１】
受信したメッセージを所定数だけ格納する手段と、メッセージの数が前記所定数を超えた場合に保護属性の無いメッセージのうちの最古のメッセージを消去する手段と、保護属性有りのメッセージの数が最大保護数である状態で保護属性無しのメッセージに対して保護属性設定操作が行なわれたことを検出する手段と、保護属性有りのメッセージの数が最大保護数である状態で保護属性無しのメッセージに対して保護属性設定操作が行なわれたことを検出した場合に保護属性有りのメッセージのみを受信時刻の古い順に、かつ、選択スイッチの操作に応じて順次表示する手段と、該順次表示される保護属性解除の対象メッセージとして保護属性有りのメッセージが表示された状態で確定スイッチが押下されたことを検出した場合に表示中のメッセージの保護属性を解除すると同時に前記保護属性設定操作が行われたメッセージの保護属性設定を行なう手段とを備えたことを特徴とする無線携帯端末。
【発明の詳細な説明】
【０００１】
【発明の属する技術分野】
本発明は、無線ぺージャなどの無線携帯端末に関し、特に、格納されている受信メッセージが消去されない保護機能を有する無線携帯端末に関する。
【０００２】
【従来の技術】
無線ぺージャなどの無線携帯端末には、受信したメッセージを格納しておく機能が備えられている。無線携帯端末では、格納できる受信メッセージの数は有限なので、これを超えてメッセージを受信した場合、最古のメッセージから順次自動的に消去されるようになっている。ところが、消去されたくない重要な受信メッセージがあっても、新しいメッセージが受信され続けると、やがて消去されてしまうことになる。そこで、無線携帯端末に受信メッセージの保護機能を設けて、消去されたくない重要な受信メッセージを消去の対象外に設定することにした。格納できる全メッセージを保護すると新たな受信メッセージを格納できなくなるので、保護メッセージ数は、受信メッセージの格納限度数より必ず小さい値にしてある。保護できる最大のメッセージ数を最大保護数という。
【０００３】
従来の無線携帯端末において、受信メッセージを保護メッセージに設定する手順を、図１のぺージャシステム構成図と図３の従来方式のメッセージ保護機能フローチャートを用いて説明する。まず始めに、受信待受けの状態から、ロータリスイッチ４の押下（ＳＥＴ）により、メッセージの読出モードに遷移し、ロータリスイッチ４の回転（ＳＬＣＴ）によって、保護したい任意のメッセージを選択する（ＳＴＥＰ１）。選択したメッセージが表示されている状態から、スイッチ５の押下（ＭＯＤＥ）により、モード選択画面に遷移し、保護／保護解除のガイダンス表示を行なう（ＳＴＥＰ２）。ガイダンス表示中に、ロータリスイッチ４の押下（ＳＥＴ）の操作をすると、選択メッセージが保護属性有りの場合、選択メッセージとともに保護解除確認文を表示し、保護属性無しの場合、選択メッセージとともに保護確認文を表示する（ＳＴＥＰ３）。前記メッセージ表示中に、ロータリスイッチ４の押下（ＳＥＴ）の操作をすると、メッセージの保護属性有無の判定を行なう（ＳＴＥＰ４）。
【０００４】
保護属性無しの場合、最大保護数オーバ−の判定（ＳＴＥＰ５）の結果、今回の保護動作により最大保護数オーバーとなるならば、保護数オーバ−の表示を行なう（ＳＴＥＰ６）。その後、１秒タイムアウトまたは、ロータリスイッチ４の押下（ＳＥＴ）またはスイッチ５の押下（ＭＯＤＥ）により、選択メッセージとともに保護確認文を表示する画面に遷移する（ＳＴＥＰ３）。前記メッセージ表示中に、ロータリスイッチ４の回転（ＳＬＣＴ）操作を行なうと、保護属性の有無に無関係で受信時刻順に格納されているメッセージが表示される。表示されるメッセージの中から、ユーザは最も必要性の低いと思われる保護属性有りのメッセージを選択する。選択メッセージ表示中に、ロータリスイッチ４の押下（ＳＥＴ）操作をすると、保護属性の判定を行なう（ＳＴＥＰ４）。この場合、保護属性有りなので保護解除動作となり、現在の保護数をデクリメントし（ＳＴＥＰ１０）、解除完了の表示を行なう（ＳＴＥＰ１１）。解除完了の表示が、１秒タイムアウト、または、ロータリスイッチ４の押下（ＳＥＴ）かスイッチ５の押下（ＭＯＤＥ）で終了すると、保護解除したメッセージの表示を行なう（ＳＴＥＰ９）。同時にメッセージ読出モードに戻る。
【０００５】
そして再度、当初保護したかったメッセージをロータリスイッチ４の回転（ＳＬＣＴ）により選択する（ＳＴＥＰ１）。選択メッセージ表示中にスイッチ５の押下（ＭＯＤＥ）操作をすると、モード選択画面に遷移し、保護／保護解除のガイダンス表示を行なう（ＳＴＥＰ２）。ガイダンス表示中に、ロータリスイッチ４の押下（ＳＥＴ）操作をすると、選択メッセージとともに保護確認文を表示する（ＳＴＥＰ３）。前記メッセージ表示中に、ロータリスイッチ４の押下（ＳＥＴ）操作をすると、メッセージの保護属性有無の判定を行なう（ＳＴＥＰ４）。
【０００６】
保護属性無しなので、今回の保護動作によりぺージャシステムの持つ最大保護数をオーバーするか否かの判定を行なう（ＳＴＥＰ５）。保護解除を行なっていて最大保護数オーバーにならないので、保護数をインクリメントし（ＳＴＥＰ７）、保護完了の表示を行なう（ＳＴＥＰ８）。保護完了の表示が、１秒タイムアウト、または、ロータリスイッチ４の押下（ＳＥＴ）かスイッチ５の押下（ＭＯＤＥ）で終了すると、保護完了したメッセージを保護属性有りマークとともに表示する（ＳＴＥＰ９）。同時にメッセージ読出モードに戻る（ＳＴＥＰ１）。
【０００７】
【発明が解決しようとする課題】
しかしながら前記従来の手順では、保護メッセージの数が最大保護数である状態で新たにメッセージを保護しようとする場合、保護属性無しの受信メッセージも含めた全受信メッセージの中から保護解除するメッセージを検索し、保護解除あるいは消去する必要がある。さらに、保護しようと思っていたメッセージを再び検索して保護設定するために複雑なキー操作が要求される、という問題があった。したがって本発明の課題は、保護メッセージの数が最大保護数である状態におけるメッセージの保護設定操作を簡単にすることである。
【０００８】
【課題を解決するための手段】
前記の課題を解決するために本発明では、保護メッセージの数が最大保護数である状態で新たにメッセージを保護しようとする場合、保護解除対象となる保護メッセージのみを検索して、受信時刻の古いメッセージから順次表示して、ユーザーに保護解除メッセージの選択を促し、ユーザーが保護解除メッセージを確定する操作をした際には、選択メッセージの保護解除と保護したかったメッセージの保護設定を、同時に行なう構成とする。
【０００９】
前記のような構成とすることによって、保護メッセージの数が最大保護数である状態においても、簡単なキー操作でメッセージの保護設定ができる無線携帯端末が実現される。
【００１０】
【発明の実施の形態】
本発明の請求項１記載の発明は、受信したメッセージを所定数だけ格納する手段と、メッセージの数が前記所定数を超えた場合に保護属性の無いメッセージのうちの最古のメッセージを消去する手段と、保護属性有りのメッセージの数が最大保護数である状態で保護属性無しのメッセージに対して保護属性設定操作が行なわれたことを検出する手段と、保護属性有りのメッセージの数が最大保護数である状態で保護属性無しのメッセージに対して保護属性設定操作が行なわれたことを検出した場合に保護属性有りのメッセージのみを受信時刻の古い順に、かつ、選択スイッチの操作に応じて順次表示する手段と、該順次表示される保護属性解除の対象メッセージとして保護属性有りのメッセージが表示された状態で確定スイッチが押下されたことを検出した場合に表示中のメッセージの保護属性を解除すると同時に前記保護属性設定操作が行われたメッセージの保護属性設定を行なう手段とを備えたものであり、保護メッセージ数が最大の状態において保護属性を解除するメッセージの選択操作が簡単になるという作用を有する。
【００１２】
以下、本発明の実施の形態の無線携帯端末について、ページャシステムを例に、図１及び図２を参照しながら説明する。
【００１３】
（実施の形態）
本発明の実施の形態は、保護メッセージの数が最大保護数である状態で保護属性無しの受信メッセージに保護属性を設定する場合には、保護属性有りのメッセージのみを受信時刻の古い順に表示し、表示されたメッセージの１つをユーザーが選択して保護解除の確定操作を行なうことによって、選択したメッセージを保護解除すると同時に当初の保護したかったメッセージを保護属性有りに設定する無線携帯端末である。
【００１４】
図１に、ページャシステムの構成を示す。図１に示すように、ページャシステムは、無線区間データを受信するためのアンテナ１、受信部２、受信データをデコードするデコーダと、それらの解析を含めたソフト制御を行なうＣＰＵを合わせたＬＳＩチップ３を有する。さらに、メッセージの選択と確定の制御を行なうためのロータリスイッチ４、モード選択用のスイッチ５、電源ＯＮ／ＯＦＦ用のスイッチ６、電圧を制御するＤＣ−ＤＣコンバータ７、電源１４、表示を行なうためのＬＣＤ駆動回路８、ＬＣＤ１３、音を発振するためのスビーカ駆動回路９、スピーカ１２、メッセージ等を格納するＲＡＭ１０、自己アドレス情報等を格納するＩＤ−ＲＯＭ１１を持つ。
【００１５】
次に、メッセージ保護機能の動作について図２を用いて説明する。まず始めに、待受けの状態で、ロータリスイッチ４の押下（ＳＥＴ）により、メッセージの読出モードに遷移し、ロータリスイッチ４の回転（ＳＬＣＴ）によって保護したい任意のメッセージを選択する（ＳＴＥＰ１）。選択したメッセージ表示中に、スイッチ５の押下（ＭＯＤＥ）により、モード選択画面に遷移し、保護／保護解除のガイダンス表示を行なう（ＳＴＥＰ２）。ガイダンス表示中に、ロータリスイッチ４の押下（ＳＥＴ）により、選択メッセージが保護属性有りの場合、選択メッセージとともに保護解除確認文を表示し、保護属性無しの場合、選択メッセージとともに保護確認文を表示する（ＳＴＥＰ３）。前記メッセージ表示中に、ロータリスイッチ４の押下（ＳＥＴ）により、メッセージの保護属性有無の判定を行なう（ＳＴＥＰ４）。
【００１６】
保護属性無しの場合、今回の保護動作により、ページャシステムの持つ最大保護数をオーバーするか否かの判定を行なう（ＳＴＥＰ５）。最大保護数オーバ−の場合、保護数オーバ−の表示を行なう（ＳＴＥＰ６）。保護数オーバ−の表示が１秒タイムアウト、またはロータリスイッチ４の押下（ＳＥＴ）かスイッチ５の押下（ＭＯＤＥ）で終了すると、最古保護メッセージの表示を、“解除？”のガイダンスとともに行なう（ＳＴＥＰ７）。前記メッセージ表示中、ロータリスイッチ４の回転（ＳＬＣＴ）により、保護属性有りのメッセージが受信時刻順に表示される。この場合、ロータリスイッチ４は選択スイッチとして機能する。保護属性有りのメッセージの中から、ユーザが最も重要性の低いと思われる保護解除するメッセージの表示中（ＳＴＥＰ８）に、ロータリスイッチ４の押下（ＳＥＴ）により確定する。この場合、ロータリスイッチ４は確定スイッチとして機能する。この操作によりメッセージの保護解除と、はじめに保護しようとしたメッセージの保護設定が同時に行なわれる（ＳＴＥＰ９）。その後、“解除＋保護完了”の表示を行なう（ＳＴＥＰ１０）。前記表示が１秒タイムアウト、または、ロータリスイッチ４の押下（ＳＥＴ）かスイッチ５の押下（ＳＬＣＴ）で終了すると、はじめに保護しようとしたメッセージを保護属性有りのマークとともに表示する（ＳＴＥＰ１１）。同時にメッセージ読出モードに遷移する（ＳＴＥＰ１）。
【００１７】
以上のように、本発明の実施の形態では、無線携帯端末を、保護メッセージの数が最大保護数の状態で保護属性無しのメッセージに保護設定する場合には、保護属性有りのメッセージのみを受信時刻の古い順に表示し、その中の１つを選択することで、そのメッセージを保護解除すると同時に当初の保護したかったメッセージを保護属性有りと設定する構成としたので、保護解除の１つの操作で同時に保護設定を行なうことが可能となり、格段に簡単なキー操作で保護動作が行なえることになる。
【００１８】
従来方式の無線携帯端末においては、まず、保護属性有りのメッセージを全メッセージの中から検索して保護解除を行ない、その後、当初の保護したかったメッセージを再度読み出して保護属性を設定するというように、２つのアクションが必要であったが、本発明では、１つのアクションで保護解除と保護属性設定ができる。
【００１９】
【発明の効果】
以上の説明から明らかなように、本発明の無線携帯端末では、最大保護数をオーバーしてメッセージの保護を行なおうとした場合、保護属性有りのメッセージを受信時刻の古い順に表示し、保護解除メッセージが表示された状態で確定操作を行なうと保護解除と保護属性設定がされる構成とすることによって、選択したメッセージの保護解除と、保護しようとしたメッセージの保護属性設定を同時に行なうことができ、保護メッセージが最大保護数のときの保護設定の操作が格段に容易になるという効果が得られる。
【図面の簡単な説明】
【図１】本発明の実施の形態のページャシステムの構成のブロック図、
【図２】本発明の実施の形態のページャシステムのメッセージ保護機能フローチャート、
【図３】従来のページャシステムのメッセージ保護機能フローチャートである。
【符号の説明】
１  アンテナ
２  受信部
３  ＬＳＩチップ（デコーダ＋ＣＰＵ）
４  ロータリスイッチ（選択と確定）
５  スイッチ（モード）
６  スイット（メイン）
７  ＤＣ−ＤＣコンバータ
８  ＬＣＤ駆動回路
９  スピーカ駆動回路
１０  ＲＡＭ
１１  ＩＤ−ＲＯＭ
１２  スピーカ
１３  ＬＣＤ
１４  電池
【図１】
0003617755.tif 000002
【図２】
0003617755.tif 000003
【図３】
0003617755.tif 000004